(57)【要約】【課題】  容易に膜材のシワや弛みをなくすことができる膜材張設具を提供する。【解決手段】  押さえ部材と、基盤を備え、押さえ部材は、略棒状の手掛部と、手掛部に設けた磁着部からなり、手掛部と磁着部がともに変形可能なものであり、基盤と磁着部の間に作用する磁力によって、押さえ部材が基盤に磁着するものであり、複数本の押さえ部材が、基盤上に載置された膜材の周縁部を囲んで配置され、押さえ部材と基盤で膜材を挟み込んで固定するものであり、押さえ部材を変形させることで、膜材の任意の箇所に張力をかけることが可能である。【選択図】      図１
2017157335.tif 000002
【特許請求の範囲】
【請求項１】
押さえ部材と、基盤を備え、
押さえ部材は、略棒状の手掛部と、手掛部に設けた磁着部からなり、手掛部と磁着部がともに変形可能なものであり、
基盤と磁着部の間に作用する磁力によって、押さえ部材が基盤に磁着するものであり、
複数本の押さえ部材が、基盤上に載置された膜材の周縁部を囲んで配置され、押さえ部材と基盤で膜材を挟み込んで固定するものであり、
押さえ部材を変形させることで、膜材の任意の箇所に張力をかけることが可能であることを特徴とする膜材張設具。
【発明の詳細な説明】
【技術分野】
【０００１】
本発明は、薄い膜状の部材をシワなく張設するための膜材張設具に関する。
【背景技術】
【０００２】
積層型電池のセパレータとして用いられる高分子フィルムなどの膜材について、これを抜孔を有する基盤上に張設して、下方から抜孔を通して光を照射し、それを上方から撮影して欠陥の有無を調べる検査が行われている。この検査の際には、セパレータをシワなく張設する必要があった。そこで従来は、図５に示すように、鉄製の基盤１０２上に矩形の膜材Ｆを載置して、磁石を設けた棒状の押さえ部材１０１を膜材Ｆの左右両端部に取り付けて膜材Ｆを固定し、さらにこの押さえ部材１０１を外側に動かすことで、押さえ部材１０１と膜材Ｆの間の摩擦力により膜材Ｆを左右に引っ張って張力をかけて、シワをなくしていた。
【発明の概要】
【発明が解決しようとする課題】
【０００３】
しかしながら、このような従来の方法においては、図５に示すように、押さえ部材１０１による張力の作用点（押さえ部材１０１の近傍）に、局所的なシワが発生する場合があった（Ｐ部）。そして、Ｐ部のシワをなくすために、押さえ部材１０１を動かして張力をかけようとすると、従来の押さえ部材１０１は硬質で変形しないものなので、図６（ａ）に示すように、押さえ部材１０１全体が動くことになり、Ｐ部のシワはなくなるが、シワがなかったＱ部にも張力が作用してしまい、新たなシワが生じることとなっていた。また、張力方向のシワが発生する場合があり（Ｒ部）、このシワは、左右の押さえ部材１０１によって同じ方向からより強い張力をかけても、なくすことができなかった。さらに、図６（ｂ）に示すように、抜孔１０５部分において膜材Ｆに弛みが発生していたが、従来の押さえ部材１０１で、この部分の弛みをなくす程度の大きな張力をかけることは難しかった。これらの結果として、膜材Ｆのシワや弛みをなくすための作業は非常に手間と時間がかかるものとなっていた。
【０００４】
本発明は、上記事情を鑑みたものであり、容易に膜材のシワや弛みをなくすことができる膜材張設具を提供することを目的とする。
【課題を解決するための手段】
【０００５】
本発明は、押さえ部材と、基盤を備え、押さえ部材は、略棒状の手掛部と、手掛部に設けた磁着部からなり、手掛部と磁着部がともに変形可能なものであり、基盤と磁着部の間に作用する磁力によって、押さえ部材が基盤に磁着するものであり、複数本の押さえ部材が、基盤上に載置された膜材の周縁部を囲んで配置され、押さえ部材と基盤で膜材を挟み込んで固定するものであり、押さえ部材を変形させることで、膜材の任意の箇所に張力をかけることが可能であることを特徴とする。
【発明の効果】
【０００６】
本発明によれば、膜材の任意の箇所に張力をかけることできるので、局所的なシワが発生した部分にのみ張力をかけて、新たなシワを生ずることなく、シワをなくすことができる。また、弛みが発生した部分に大きな張力をかけることもできる。さらに、押さえ部材が膜材の周縁部を囲んでいるので、任意の方向から張力をかけることが可能であるから、特定の張力方向のシワもなくすことができる。そしてこれらにより、短時間で容易にシワや弛みがない状態で膜材を張設できる。
【図面の簡単な説明】
【０００７】
【図１】本発明の膜材張設具の第一実施形態を示す斜視図である。
【図２】押さえ部材を示す斜視図である。
【図３】（ａ）〜（ｃ）は、本発明の膜材張設具の平面図であって、膜材の張設方法を説明するものである。
【図４】（ａ）は第二実施形態の押さえ部材の斜視図であり、（ｂ）は第三実施形態の押さえ部材の斜視図である。
【図５】従来の張設具を示す斜視図である。
【図６】（ａ）は従来の張設具の平面図であって、膜材にシワが発生した状態を説明するものであり、（ｂ）は従来の張設具の縦断面図であって、膜材に弛みが発生した状態を説明するものである。
【発明を実施するための形態】
【０００８】
本発明の膜材張設具の具体的な構成について、各図面に基づいて説明する。なお、対象となる膜材およびそれを張設する目的はどのようなものであってもよいが、ここでは、積層型電池のセパレータとして用いられる、厚さ１０μｍ程度の矩形の高分子フィルムを、検査のために張設する場合を想定する。図１に示すように、この膜材張設具の第一実施形態は、４本の押さえ部材１と、基盤２からなる。
【０００９】
押さえ部材１は、図２に示すように、角棒状の手掛部３と、手掛部３の下面に取り付けた平板状の磁着部４からなる。手掛部３は、ウレタン樹脂からなるものであって、柔軟性があり人の手で変形可能である。また、磁着部４は、ゴム磁石からなるものであって、柔軟性があり人の手で変形可能である。そして、磁着部４は手掛部３の下面と同じ大きさであり、両者は接着剤で接合されている。このように形成された押さえ部材１は、全体として角棒状であって、人の手で自在に曲げることができる。
【００１０】
基盤２は、図１に示すように、矩形平板状のものであって、中央部には、検査に用いる抜孔５を形成してある。そして、基盤２は鉄製であって、任意の箇所に押さえ部材１の磁着部４が磁着する。
【００１１】
この押さえ部材１および基盤２によって膜材Ｆを張設するには、図１に示すように、まず、基盤２上に、抜孔５を覆うようにして膜材Ｆを載置する。次に、押さえ部材１の手掛部３を持って、膜材Ｆの周縁部を囲むように、各辺に沿って４本の押さえ部材１をそれぞれ配置する。押さえ部材１の長さは、膜材Ｆの各辺の長さよりもやや短く、押さえ部材１の端部同士の間には僅かに隙間が生じる。押さえ部材１は、磁着部４が基盤２に磁着するので、押さえ部材１と基盤２で膜材Ｆの周縁部が挟み込まれて、膜材Ｆが固定される。そして、押さえ部材１を配置する際に、内周側から外周側に向けて力を加えるようにすることで、押さえ部材１と膜材Ｆの間に作用する摩擦力により膜材Ｆが外周側に引っ張られ、膜材Ｆに張力がかかって張設される。
【００１２】
しかしながら、これだけでは、膜材Ｆは固定されているものの、シワや弛みが生じている。そこで、押さえ部材１を変形させることで、膜材Ｆの任意の箇所に張力をかけて、シワや弛みをなくす。なお、図３の説明における上下左右とは、図面上の上下左右である。また、上下左右の押さえ部材をそれぞれ符号１ａ，１ｂ，１ｃ，１ｄで表し、区別しない場合は符号１で表す。まず、図３（ａ）に示すように、右側の押さえ部材１ｄの近傍のＳ部に局所的なシワが発生した場合には、近傍の押さえ部材１ｄの、シワの直近部分（図３（ａ）では、右側の押さえ部材１ｄの上端部分）を、外周側に向けて変形させる。押さえ部材１ｄは、手掛部３に内周側から手を掛けて力を加えれば、容易に変形するものであり、この直近部分以外の部分は動かない。そして、変形させた直近部分は、その状態で磁着部４が基盤２に磁着して、変形したまま固定される。このようにすることで、シワが生じたＳ部にのみ張力をかけて、シワをなくすことができ、それ以外の部分に新たな張力が作用することはないので、新たなシワが生じることもない。そして、押さえ部材１は膜材Ｆの周縁部を囲むように配置してあるから、膜材Ｆのどの部分に局所的なシワが生じても、最も近い押さえ部材１のシワ直近部分を変形させることで、新たなシワを生ずることなく、シワをなくすことができる。
【００１３】
また、図３（ｂ）に示すように、中央の抜孔５部分において弛みが発生した場合には、左右の押さえ部材１ｃ，１ｄの長手方向の中央部分を外周側に向けて大きく変形させる。これにより、弛みが発生した膜材Ｆの中央部に大きな張力をかけて、弛みをなくすことができる。もちろん、上下の押さえ部材１ａ，１ｂを変形させてもよいし、すべての押さえ部材１ａ，１ｂ，１ｃ，１ｄを変形させてもよい。そして、このように押さえ部材１の一部を大きく変形させた場合でも、その他の部分は動かず、新たなシワが生じることはない。
【００１４】
さらに、図３（ｃ）に示すように、左右の押さえ部材１ｃ，１ｄによる張力が原因で、張力方向（左右方向）のシワが発生した場合には（Ｔ部）、上下の押さえ部材１ａ，１ｂを外周側に動かすことで、上下方向からも張力をかけて、このシワをなくすことができる。
【００１５】
また、膜材Ｆの周縁部が押さえ部材１により完全に囲まれていると、その内周側のシワが取り切れない場合があるが、本発明の膜材張設具においては、押さえ部材１の端部同士の間に隙間があるので、ここからシワを逃がして、膜材Ｆ全体のシワをなくすことができる。
【００１６】
このように、本発明の膜材張設具によれば、変形可能な押さえ部材１が膜材Ｆの周縁部を囲むように配置してあるので、この押さえ部材１を動かすことで、膜材Ｆの任意の箇所に、任意の方向から張力をかけられる。これにより、短時間で容易にシワや弛みがない状態で膜材を張設できる。
【００１７】
なお、押さえ部材１は、基盤２と磁着部４の間に作用する磁力によって、基盤２に磁着するものであればよく、磁着部４が直接基盤２に接しないものであってもよい。すなわち、第二実施形態の押さえ部材１として、図４（ａ）に示すように、角棒状の手掛部３の長手方向に沿った中心軸に貫通孔を形成して、一回り小さな角棒状のゴム磁石からなる磁着部４を挿入したものであってもよい。また、第三実施形態の押さえ部材１として、図４（ｂ）に示すように、断面形状が横長の長方形である２本の手掛部３で、平板状のゴム磁石からなる磁着部４を上下から挟み込んだものであってもよい。何れの実施形態においても、押さえ部材１以外は第一実施形態と同じ構成とすることで、第一実施形態と同様に用いることができる。
【００１８】
本発明は、上記の実施形態に限定されない。たとえば、押さえ部材の本数は、膜材の形状に応じて、適宜変更できる。またその形状は、膜材の周縁部の形状に沿った曲線状のものなどであってもよい。また、手掛部の素材は、手で容易に変形できるものであれば、どのようなものであってもよいし、手掛部の形状は、手を掛けて動かしやすいものであれば、どのようなものであってもよい。さらに、磁着部は、上記のように変形可能なゴム磁石を手掛部の長手方向の全長にわたって設けたものではなく、固形の磁石を散在させたものであってもよい。その場合であっても、磁着部が存在しない部分においては、手掛部の下面と膜材の間に摩擦力が作用するので、上記の場合と同様に、任意の箇所に張力をかけられる。また、基盤の素材は、磁石を引き寄せる強磁性体からなるものであれば、どのようなものであってもよいし、基盤の形状は、膜材を張設する目的などに応じて適宜変更できる。さらに、基盤を磁石により構成し、押さえ部材の磁着部を強磁性体からなるものとしてもよい。
【符号の説明】
【００１９】
１  押さえ部材
２  基盤
３  手掛部
４  磁着部
Ｆ  膜材
【図１】
2017157335.tif 000003
【図２】
2017157335.tif 000004
【図３】
2017157335.tif 000005
【図４】
2017157335.tif 000006
【図５】
2017157335.tif 000007
【図６】
2017157335.tif 000008